【手続補正書】
【提出日】平成16年9月8日(2004.9.8)
【手続補正１】
【補正対象書類名】明細書
【補正対象項目名】特許請求の範囲
【補正方法】変更
【補正の内容】
【特許請求の範囲】
【請求項１】
画像入力装置で撮影された画像を、色補正手段で色変換し、画像出力装置に表示若しくは印刷による出力を行う色再現装置において、
上記色補正手段が、
撮影時及び観察時の情報からなる色再現環境に関する情報と、上記画像入力装置に関する情報と、上記画像出力装置に関する情報を用いて入力画像から出力画像への色変換を行うことを特徴とする色再現装置。
【請求項２】
上記色再現環境に関する情報として更に撮影する対象物の情報を用いることを特徴とする請求項１に記載の色再現装置。
【請求項３】
画像入力装置で撮影された画像を、色補正手段で色変換し、画像出力装置に表示若しくは印刷による出力を行う色再現装置において、
上記色補正手段が、
上記画像入力装置に関する情報及び上記色再現環境に関する情報に応じた入力プロファイルを作成する入力プロファイル作成部と、
上記入力プロファイルを参照して入力画像をデバイスインデペンデントカラー画像に変換する入力プロファイル作用部とを有するデバイスインデペンデントカラー画像変換手段と、
上記画像出力装置に関する情報に応じた出力プロファイルを作成する出力プロファイル作成部と、
上記出力プロファイルを参照してデバイスインデペンデントカラー画像を出力画像に変換する出力プロファイル作用部とを有するデバイス値変換手段と、
を具備することを特徴とする請求項１又は請求項２に記載の色再現装置。
【請求項４】
画像入力装置で撮影された画像を、色補正手段で色変換し、画像出力装置に表示若しくは印刷による出力を行う色再現装置において、
上記色補正手段は、
上記画像入力装置に関する情報及び上記色再現環境に関する情報及び上記画像出力装置に関する情報に基づき入出力プロファイルを作成する入出力プロファイル作成部と、
上記入出力プロファイルを参照して、撮影された画像を出力画像に変換する入出力プロファイル作用部と、
を具備することを特徴とする請求項1又は請求項２に記載の色再現装置。
【請求項５】
上記画像入力装置に関する情報は、撮影に用いた画像入力装置の特性や、それらの設定状態から得られる情報であり、
上記色再現環境に関する情報は、被写体となるべき対象物の画像を上記画像入力装置で撮影する時の照明光のスペクトルデータと、撮影した対象物の画像を観察したい場所の照明光のスペクトルデータであることを特徴とする請求項１に記載の色再現装置。
【請求項６】
上記色再現環境に付加された撮影する対象物の情報は、上記撮影する対象物のスペクトル統計データであることを特徴とする請求項２に記載の色再現装置。
【請求項７】
上記デバイスインデペンデントカラー画像変換手段は、
上記画像入力装置に関する情報及び上記色再現環境に関する情報に対して、適当な情報をそれぞれ選択する選択部と、
選択された上記情報に基づきマトリックス形式として入力プロファイルを作成する入力プロファイル作成部と、
入力画像を上記マトリックス形式の入力プロファイルを用いてマトリックス演算によりデバイスインデペンデントカラー画像に変換する入力プロファイル作用部と、
を具備することを特徴とする請求項３項に記載の色再現装置。
【請求項８】
上記入力プロファイル作成部及び上記入力プロファイル作用部及び上記出力プロファイル作成部、及び上記出力プロファイル作成部がそれぞれに入力される各種情報の選択部を有し、
上記入力画像、上記画像入力装置に関する情報、上記色再現環境に関する情報、上記画像出力装置に関する情報が、画像入力装置、専用に設けた入力装置、外部の装置と接続するネットワーク、記憶媒体のいずれからか供給されることを特徴とする請求項３に記載の色再現装置。
【請求項９】
上記入力プロファイル作成部、出力プロファイル作用部、及び、入出力プロファイル作用部がそれぞれに入力される各種情報の選択部を有し、
上記入力画像、上記画像入力装置に関する情報、上記色再現環境に関する情報、上記画像出力装置に関する情報が、画像入力装置、専用に設けた入力装置、外部の装置と接続するネットワーク、記憶媒体のいずれからか供給されることを特徴とする請求項４に記載の色再現装置。
【請求項１０】
上記色補正手段が、
上記画像入力装置に関する情報、上記色再現環境に関する情報、上記画像出力装置に関する情報のすくなくともいずれかがデータベース化された情報データベースを具備し、
入力プロファイル作成時、あるいは、出力プロファイル作成時に、所望するデータが選択的にえられることを特徴とする請求項３又は請求項４に記載の色再現装置。
【請求項１１】
上記色再現装置は、さらに色補正前処理部を有し、
前記色補正前処理部は、
上記画像入力装置で撮影された画像データを、上記画像入力装置に関する情報、被写体となるべき対象物の画像を上記画像入力装置で撮影する時の照明光のスペクトルデータ、撮影する対象物のスペクトル統計データのすくなくともいずれかを用いて照明変換可能なデータ構造にフォーマット変換し、上記色補正手段は、上記照明変換可能な画像データを処理し、所望の観察照明光下での色に補正して出力することを特徴とする請求項３又は請求項４に記載の色再現装置。
【請求項１２】
上記画像入力装置が、光像から光電変換により画像データを検出する画像データ検出手段と、スペクトルデータを検出する分光器とを備え、
上記画像データと、
上記色再現環境に関する情報のうち被写体となるべき対象物の画像を上記画像入力装置で撮影する時の照明光のスペクトルデータ、または、撮影する対象物のスペクトル統計データを同時測定可能とすることを特徴とする請求項３又は請求項４に記載の色再現装置。
【請求項１３】
上記画像入力装置は、
さらに上記画像入力装置に関する情報を記憶する記憶部を具備し、該画像入力装置に関する所望の情報が前記色補正手段に読み出すことができることを特徴とする請求項３又は請求項４に記載の色再現装置。
【請求項１４】
上記デバイス値変換手段は、
上記デバイスインデペンデントカラー画像から上記画像出力装置の出力面に照射される周囲の外光と、上記画像出力装置のオフセットとによる色信号のバイアス値を減算するバイアス減算部を有し、
前記バイアス減算部によりバイアス値を減算した後に、上記出力プロファイル作用部が出力プロファイルを参照しながら出力画像に変換することを特徴とする請求項３に記載の色再現装置。
【請求項１５】
入力信号値により画像を表示する画像表示装置における正確な色再現が可能な色再現装置であって、
前記画像表示装置の表示面に入射する外光に関する色度値を記憶するバイアス値記憶手段と、
前記入カ信号値に関する色度値から前記外光に関する色度値を減算する減算手段とを具備することを特徴とする色再現装置。
【請求項１６】
前記バイアス値記憶手段は、前記画像表示装置のオフセット光に関する色度値を記憶し、
前記減算手段は、前記入力信号値に関する色度値から、前記バイアス記憶手段に記憶されたオフセット光に関する色度値、及び外光に関する色度値を減算することを特徴とする請求項１５に記載の色再現装置。
【請求項１７】
入力信号値により画像を表示する画像表示装置における正確な色再現が可能な色再現装置において、
種々の条件に応じたトーンカーブを記憶するトーンカーブ記憶手段と、
前記種々の条件を検出する条件検出手段と、
前記条件検出手段が検出した条件に基づき、前記トーンカーブ記憶手段からトーンカーブを読み出し、γ補正を行なうγ補正計算手段と、
を具備することを特徴とする色再現装置。
【請求項１８】
前記種々の条件とは、前記画像表示装置の利用時間、前記画像表示装置の温度、前記画像表示装置のコントラストまたはブライトネスの調整値の何れかであることを特徴とする請求項１７に記載の色再現装置。
【請求項１９】
撮影時の照明環境下において画像入力装置により撮影された原画像を、観察時の照明環境下において画像出力装置により観察するための観察画像に色変換する色再現装置であって、
観察時の照明環境を選択する観察照明選択手段と、
上記観察照明選択手段により選択された観察時の照明環境の情報及び撮影時の照明環境の情報を用いて上記原画像から観察画像に色変換する色補正手段と、
を具備することを特徴とする色再現装置。
【請求項２０】
上記原画像は、複数の照明環境下において複数の画像入力装置により撮影された複数の画像であり、
上記色補正手段は、撮影時における複数の照明環境の情報と、
複数の画像入力装置の情報と、
１つの観察時の照明環境の情報と、
１つの画像出力装置の情報と、を用いて、
上記原画像を観察画像へ色変換するものであって、
上記色補正手段により色変換された複数の観察画像を１つの観察画像に合成する合成手段を、
さらに具備することを特徴とする請求項１９に記載の色再現装置。
【手続補正２】
【補正対象書類名】明細書
【補正対象項目名】００２８
【補正方法】変更
【補正の内容】
【００２８】
【課題を解決するための手段】
本発明は上記目的を達成するために、第１に、画像入力装置で撮影された画像を、色補正手段で色変換し、画像出力装置に表示若しくは印刷による出力を行う色再現装置において、上記色補正手段が撮影時及び観察時の情報からなる色再現環境に関する情報と、上記画像入力装置に関する情報と、上記画像出力装置に関する情報を用いて入力画像から出力画像への色変換を行う色再現装置を提供する。  
第２に、入力信号値により画像を表示する画像表示装置における正確な色再現が可能な色再現装置であって、前記画像表示装置の表示面に入射する外光に関する色度値を記憶するバイアス値記憶手段と、前記入カ信号値に関する色度値から前記外光に関する色度値を減算する減算手段とを備える色再現装置を提供する。  
第３に、入力信号値により画像を表示する画像表示装置における正確な色再現が可能な色再現装置において、種々の条件に応じたトーンカーブを記憶するトーンカーブ記憶手段と、前記種々の条件を検出する条件検出手段と、前記条件検出手段が検出した条件に基づき、前記トーンカーブ記憶手段からトーンカーブを読み出し、γ補正を行なうγ補正計算手段とを備える色再現装置を提供する。  
第４に、撮影時の照明環境下において画像入力装置により撮影された原画像を、観察時の照明環境下において画像出力装置により観察するための観察画像に色変換する色再現装置であって、観察時の照明環境を選択する観察照明選択手段と、上記観察照明選択手段により選択された観察時の照明環境の情報及び撮影時の照明環境の情報を用いて上記原画像から観察画像に色変換する色補正手段とを備える色再現装置を提供する。
【手続補正３】
【補正対象書類名】明細書
【補正対象項目名】００２９
【補正方法】変更
【補正の内容】
【００２９】
以上のような構成の色再現装置においては、色再現を行うに際して、撮影時及び観察時の情報からなる色再現環境に関する情報と、画像入力装置に関する情報と、画像出力装置に関する情報とに基づいて色補正を行っており、上記の様に様々な情報を考慮して精度よく、入力画像を出力画像に変換される。また、オフセット光や外光のバイアス値だけを計測し、そのバイアス値をプロファイルへ入力するＸＹＺ値から減じる処理により、暗室等で求めておいた出力プロファイルをそのまま用いてプロファイル作成が行える。
また、モニタ内部に備えられた各記憶部に、種々の条件に応じたＲＧＢ蛍光体のＸＹＺ色度値、トーンカーブデータが記憶され、選択されたＸＹＺ色度値及びトーンカーブデータを参照して、出力プロファイル演算部にてマトリックス係数、γ補正値のそれぞれ演算が行なわれる。また、種々の条件とは、モニタが製作されてからの利用時間（電源がＯＮされていた総時間）、温度、コントラストやブライトネスの調整値等を示唆する。